【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
それぞれ無線通信手段を備え、互いの間で無線通信を行う電子印鑑と端末装置を用いる電子印鑑システムであって、
前記電子印鑑は、該電子印鑑の所有者の個人情報を記憶する記憶手段を有し、
前記端末装置は、
電子文書と該電子文書に押印すべき人物の個人情報を関連付けて記憶する記憶手段と、
前記電子印鑑の印影データを読み取る印影読み取り手段と、
前記無線通信手段の通信により前記電子印鑑から前記所有者の個人情報を取得し、該個人情報が前記電子文書に押印すべき人物の個人情報と一致するか比較する比較手段と、
前記比較手段の比較の結果に応じて、前記印影読み取り手段により読み取られた印影データを前記電子文書に挿入して押印済み電子文書を作成する情報処理手段と
を有することを特徴とする電子印鑑システム。
【請求項２】
前記情報処理手段は、前記押印済み電子文書の作成後、前記無線通信手段により押印済み電子文書を前記電子印鑑に送信し、
前記電子印鑑は、送信された押印済み電子文書を記憶する記憶手段を有する
ことを特徴とする請求項１に記載の電子印鑑システム。
【請求項３】
前記電子印鑑は、該電子印鑑のＩＤデータを記憶する記憶手段を有し、
前記端末装置は、電子文書に押印すべき電子印鑑のＩＤデータを記憶する記憶手段を有し、
前記比較手段は、前記電子印鑑の押印操作がなされたときに、前記無線通信手段の通信により前記電子印鑑から前記所有者の個人情報と共に前記電子印鑑のＩＤデータを取得し、取得した個人情報が前記電子文書に押印すべき人物の個人情報と一致するか比較すると共に、取得したＩＤデータが前記電子文書に押印すべき電子印鑑のＩＤデータと一致するか比較し、
前記情報処理手段は、前記比較手段の比較の結果、前記個人情報とＩＤデータが共に一致した場合に、前記印影読み取り手段により読み取られた印影データを電子文書に挿入して押印済み電子文書を作成する
ことを特徴とする請求項１に記載の電子印鑑システム。
【請求項４】
前記電子印鑑と無線通信を行う携帯端末の無線通信手段を備えた携帯端末装置
を更に具備し、
前記携帯端末装置は、
所定距離の範囲内に電子印鑑が存在するか否か検出する検出手段と、
前記検出手段により検出された電子印鑑に外部へのデータ送信を許可する情報を前記携帯端末の無線通信手段に送信させる通信制御手段と
を有することを特徴とする請求項１に記載の電子印鑑システム。
【請求項５】
それぞれ無線通信手段を備え、互いの間で無線通信を行う電子印鑑と端末装置を用いる電子印鑑システムであって、
前記電子印鑑は、電子文書のＩＤデータを記憶する記憶手段を有し、
前記端末装置は、
前記電子文書と、該電子文書のＩＤデータ及び前記電子印鑑の印影データを関連付けて記憶する記憶手段と、
前記電子印鑑の印影データを読み取る印影読み取り手段と、
前記無線通信手段の通信により前記電子印鑑から前記ＩＤデータを取得し、該ＩＤデータが前記端末装置の前記記憶手段に記憶されたＩＤデータと一致するか比較すると共に、前記印影読み取り手段により読み取られた前記電子印鑑の印影データが前記端末装置の前記記憶手段に記憶された印影データと一致するか比較する比較手段と、
前記比較手段の比較の結果に応じて、前記電子文書を開いて変更することを許可する情報処理手段と
を有することを特徴とする電子印鑑システム。
【請求項６】
外部と無線通信を行う無線通信手段と、請求項１乃至３及び５のいずれか１項に記載の電子印鑑システムの電子印鑑の記憶手段として機能するように構成された不揮発性メモリとを有するＲＦタグを印鑑本体に付設してなることを特徴とする電子印鑑。
【請求項７】
それぞれ無線通信手段を備え、互いの間で無線通信を行う電子印鑑と端末装置を用いる電子印鑑システムであって、前記電子印鑑は、該電子印鑑の所有者の個人情報を記憶する記憶手段を有し、前記端末装置は、電子文書と該電子文書に押印すべき人物の個人情報を関連付けて記憶する記憶手段と、前記電子印鑑の印影データを読み取る手段とを有する電子印鑑システムにおける端末装置の制御方法であって、
前記電子印鑑の印影データを読み取ると共に、無線通信により前記電子印鑑から前記所有者の個人情報を取得する取得工程と、
前記取得工程により取得した個人情報が前記電子文書に押印すべき人物の個人情報と一致するか比較する比較工程と、
前記比較工程の比較の結果に応じて、読み取った印影データを前記電子文書に挿入して押印済み電子文書を作成する作成工程と
を実行することを特徴とする電子印鑑システムにおける端末装置の制御方法。
【請求項８】
それぞれ無線通信手段を備え、互いの間で無線通信を行う電子印鑑と端末装置を用いる電子印鑑システムであって、前記電子印鑑は、電子文書のＩＤデータを記憶する記憶手段を有し、前記端末装置は、前記電子文書と、該電子文書のＩＤデータ及び前記電子印鑑の印影データを関連付けて記憶する記憶手段と、前記電子印鑑の印影データを読み取る手段とを有する電子印鑑システムにおける端末装置の制御方法であって、
前記電子印鑑の印影データを読み取ると共に、無線通信により前記電子印鑑から前記ＩＤデータを取得する取得工程と、
前記取得工程で取得したＩＤデータが前記端末装置の前記記憶手段に記憶されたＩＤデータと一致するか比較すると共に、読み取った印影データが前記端末装置の前記記憶手段に記憶された印影データと一致するか比較する比較工程と、
前記比較工程の比較の結果に応じて、前記電子文書を開いて変更することを許可する情報処理工程と
を実行することを特徴とする電子印鑑システムにおける端末装置の制御方法。
【請求項９】
それぞれ無線通信手段を備え、互いの間で無線通信を行う電子印鑑と端末装置を用いる電子印鑑システムであって、前記電子印鑑は、該電子印鑑の所有者の個人情報を記憶する記憶手段を有し、前記端末装置は、電子文書と該電子文書に押印すべき人物の個人情報を関連付けて記憶する記憶手段と、前記電子印鑑の印影データを読み取る手段とを有する電子印鑑システムにおける端末装置の制御プログラムであって、
前記電子印鑑の印影データを読み取ると共に、無線通信により前記電子印鑑から前記所有者の個人情報を取得する取得工程と、
前記取得工程により取得した個人情報が前記電子文書に押印すべき人物の個人情報と一致するか比較する比較工程と、
前記比較工程の比較の結果に応じて、読み取った印影データを前記電子文書に挿入して押印済み電子文書を作成する作成工程と
をコンピュータに実行させるための制御プログラム。
【請求項１０】
それぞれ無線通信手段を備え、互いの間で無線通信を行う電子印鑑と端末装置を用いる電子印鑑システムであって、前記電子印鑑は、電子文書のＩＤデータを記憶する記憶手段を有し、前記端末装置は、前記電子文書と、該電子文書のＩＤデータ及び前記電子印鑑の印影データを関連付けて記憶する記憶手段と、前記電子印鑑の印影データを読み取る手段とを有する電子印鑑システムにおける端末装置の制御プログラムであって、
前記電子印鑑の印影データを読み取ると共に、無線通信により前記電子印鑑から前記ＩＤデータを取得する取得工程と、
前記取得工程で取得したＩＤデータが前記端末装置の前記記憶手段に記憶されたＩＤデータと一致するか比較すると共に、読み取った印影データが前記端末装置の前記記憶手段に記憶された印影データと一致するか比較する比較工程と、
前記比較工程の比較の結果に応じて、前記電子文書を開いて変更することを許可する情報処理工程と
をコンピュータに実行させるための制御プログラム。